(57)【特許請求の範囲】
【請求項１】
基地局から移動機に対してＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）を用いてデータ送信が行われ、基地局から移動機に対する制御メッセージの送信にもＨＳ−ＤＳＣＨを用いるようにした移動通信システムであって、
前記移動機のハンドオーバの発生の前に予め、ハンドオーバ元基地局から前記移動機への制御メッセージの送信にＨＳ−ＤＳＣＨを用いることを停止せしめ、前記移動機への制御メッセージの送信に用いるための個別チャネルをそれぞれ前記ハンドオーバ元基地局とハンドオーバ先基地局に確立せしめる制御をなす制御手段を含むことを特徴とする移動通信システム。
【請求項２】
前記移動機は、前記ハンドオーバ元基地局からの信号の受信品質または電界強度に対して所定の範囲内にある受信品質または電界強度を有する信号を送出する基地局を検出する検出手段を有し、
前記制御手段は、前記検出手段による基地局の検出に応答して、この検出された基地局を前記ハンドオーバ先基地局として前記制御をなすことを特徴とする請求項１記載の移動通信システム。
【請求項３】
前記移動機は、前記ハンドオーバ元基地局を含む全ての基地局からの信号の受信品質または電界強度を定期的に前記制御手段に報告する手段を有し、
前記制御手段は、前記ハンドオーバ元基地局からの信号の受信品質または電界強度に対して所定の範囲内にある受信品質または電界強度を有する信号を送出する基地局が検出されたとき、この検出された基地局を前記ハンドオーバ先基地局として前記制御をなすことを特徴とする請求項１記載の移動通信システム。
【請求項４】
前記移動機は、前記ハンドオーバ元基地局からの信号の受信品質または電界強度が所定の閾値以下となったとき、この旨を前記制御手段に報告する手段を有し、
前記制御手段は、前記移動機からの報告に応答して前記制御をなすことを特徴とする請求項１記載の移動通信システム。
【請求項５】
基地局から移動機に対してＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）を用いてデータ送信が行われ、基地局から移動機に対する制御メッセージの送信にもＨＳ−ＤＳＣＨを用いるようにした移動通信システムの基地局制御装置であって、
前記移動機のハンドオーバの発生の前に予め、ハンドオーバ元基地局から前記移動機への制御メッセージの送信にＨＳ−ＤＳＣＨを用いることを停止せしめ、前記移動機への制御メッセージの送信に用いるための個別チャネルをそれぞれ前記ハンドオーバ元基地局とハンドオーバ先基地局に確立せしめる制御をなす制御手段を含むことを特徴とする基地局制御装置。
【請求項６】
前記制御手段は、前記ハンドオーバ元基地局からの信号の前記移動機における受信品質または電界強度に対して所定の範囲内にある受信品質または電界強度を有する信号を送出する基地局が検出されたとき、この検出された基地局を前記ハンドオーバ先基地局として前記制御をなすことを特徴とする請求項５記載の基地局制御装置。
【請求項７】
前記制御手段は、前記ハンドオーバ元基地局からの信号の前記移動機における受信品質または電界強度が所定の閾値以下となったとき、前記制御をなすことを特徴とする請求項５記載の基地局制御装置。
【請求項８】
基地局から移動機に対してＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）を用いてデータ送信が行われ、基地局から移動機に対する制御メッセージの送信にもＨＳ−ＤＳＣＨを用いるようにし、前記移動機からの通知に応答して、前記移動機のハンドオーバの発生の前に予め、ハンドオーバ元基地局から前記移動機への制御メッセージの送信にＨＳ−ＤＳＣＨを用いることを停止せしめ、前記移動機への制御メッセージの送信に用いるための個別チャネルをそれぞれ前記ハンドオーバ元基地局とハンドオーバ先基地局に確立せしめる制御をなす制御手段を含む移動通信システムの移動機であって、
前記ハンドオーバ元基地局からの信号の受信品質または電界強度に対して所定の範囲内にある受信品質または電界強度を有する信号を送出する基地局を検出して前記通知をなすことを特徴とする移動機。
【請求項９】
前記通知をなす代わりに、前記ハンドオーバ元基地局を含む全ての基地局からの信号の受信品質または電界強度を定期的に前記制御手段に報告して、前記ハンドオーバ元基地局からの信号の受信品質または電界強度に対して所定の範囲内にある受信品質または電界強度を有する信号を送出する基地局の検出を前記制御手段に行わせるようにしたことを特徴とする請求項８記載の移動機。
【請求項１０】
前記ハンドオーバ元基地局からの信号の受信品質または電界強度が所定の閾値以下となったとき、前記通知をなすことを特徴とする請求項８記載の移動機。
【請求項１１】
基地局から移動機に対してＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）を用いてデータ送信が行われ、基地局から移動機に対する制御メッセージの送信にもＨＳ−ＤＳＣＨを用いるようにした移動通信システムにおけるハンドオーバ制御方法であって、
前記移動機のハンドオーバの発生の前に予め、ハンドオーバ元基地局から前記移動機への制御メッセージの送信にＨＳ−ＤＳＣＨを用いることを停止せしめ、前記移動機への制御メッセージの送信に用いるための個別チャネルをそれぞれ前記ハンドオーバ元基地局とハンドオーバ先基地局に確立せしめる制御をなす制御ステップを含むことを特徴とするハンドオーバ制御方法。
【請求項１２】
前記移動機において、前記ハンドオーバ元基地局からの信号の受信品質または電界強度に対して所定の範囲内にある受信品質または電界強度を有する信号を送出する基地局を検出する検出ステップを有し、
前記制御ステップは、前記検出ステップにおける基地局の検出に応答して、この検出された基地局を前記ハンドオーバ先基地局として前記制御をなすことを特徴とする請求項１１記載のハンドオーバ制御方法。
【請求項１３】
前記移動機において、前記ハンドオーバ元基地局を含む全ての基地局からの信号の受信品質または電界強度を定期的に報告するステップを有し、
前記制御ステップは、前記ハンドオーバ元基地局からの信号の受信品質または電界強度に対して所定の範囲内にある受信品質または電界強度を有する信号を送出する基地局が検出されたとき、この検出された基地局を前記ハンドオーバ先基地局として前記制御をなすことを特徴とする請求項１１記載のハンドオーバ制御方法。
【請求項１４】
前記移動機において、前記ハンドオーバ元基地局からの信号の受信品質または電界強度が所定の閾値以下となったとき、この旨を報告するステップを有し、
前記制御ステップは、前記移動機からの報告に応答して前記制御をなすことを特徴とする請求項１１記載のハンドオーバ制御方法。
【請求項１５】
基地局から移動機に対してＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）を用いてデータ送信が行われ、基地局から移動機に対する制御メッセージの送信にもＨＳ−ＤＳＣＨを用いるようにした移動通信システムの基地局制御装置におけるハンドオーバ制御方法をコンピュータに実行させるためのプログラムであって、
前記移動機のハンドオーバの発生の前に予め、ハンドオーバ元基地局から前記移動機への制御メッセージの送信にＨＳ−ＤＳＣＨを用いることを停止せしめ、前記移動機への制御メッセージの送信に用いるための個別チャネルをそれぞれ前記ハンドオーバ元基地局とハンドオーバ先基地局に確立せしめる処理を含むことを特徴とするプログラム。
【請求項１６】
基地局から移動機に対してＨＳ−ＤＳＣＨ（Ｈｉｇｈ  Ｓｐｅｅｄ−Ｄｏｗｎｌｉｎｋ  Ｓｈａｒｅｄえ  Ｃｈａｎｎｅｌ）を用いてデータ送信が行われ、基地局から移動機に対する制御メッセージの送信にもＨＳ−ＤＳＣＨを用いるようにし、前記移動機からの通知に応答して、前記移動機のハンドオーバの発生の前に予め、ハンドオーバ元基地局から前記移動機への制御メッセージの送信にＨＳ−ＤＳＣＨを用いることを停止せしめ、前記移動機への制御メッセージの送信に用いるための個別チャネルをそれぞれ前記ハンドオーバ元基地局とハンドオーバ先基地局に確立せしめる制御をなす制御手段を含む移動通信システムの移動機におけるハンドオーバ方法をコンピュータに実行させるためのプログラムであって、
前記ハンドオーバ元基地局からの信号の受信品質または電界強度に対して所定の範囲内にある受信品質または電界強度を有する信号を送出する基地局を検出して前記通知をなす処理を含むことを特徴とするプログラム。
【発明の詳細な説明】
【技術分野】
【０００１】
本発明は移動通信システム、基地局制御装置、移動機及びハンドオーバ制御方法並びにプログラムに関し、特にＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式を用いた移動通信システムに関する。
【背景技術】
【０００２】
図１はＨＳＤＰＡ方式を用いた従来の移動通信システムのハンドオーバ時の動作を示すシーケンス図である。図２は本発明の実施例による移動通信システムの構成を示す図であるが、従来の移動通信システムの構成と同じであるため、図１及び図２を参照して従来の移動通信システムのハンドオーバ時の動作について以下に説明する。
【０００３】
図１及び図２において、移動機１はＮｏｄｅ−Ｂ２のセルからＮｏｄｅ−Ｂ３のセルに向かい高速移動している状態であり、ＨＳＤＰＡ方式でリアルタイム通信をＮｏｄｅ−Ｂ２と行っているものとする。
【０００４】
まずは、ステップＳ３０１において、Ｎｏｄｅ−Ｂ２から移動機１に対してＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）を用いてデータ送信が行われており、また、ＤＣＨ（Ｄｅｄｉｃａｔｅｄ  Ｃｈａｎｎｅｌ）のリソースを節約するため、ユーザデータだけではなく制御信号もＨＳ−ＤＳＣＨを用いてＮｏｄｅ−Ｂ２から移動機１に対して送信されているものとする。すなわち、通常、ＤＣＨのＤＣＣＨ（Ｄｅｄｉｃａｔｅｄ  Ｃｏｎｔｒｏｌ  Ｃｈａｎｎｅｌ）を用いて移動機１に送信される制御信号を、ＨＳ−ＤＳＣＨ上にマッピングして送信する“ＤＣＣＨ  ｏｎ  ＨＳ−ＤＳＣＨ”状態でＮｏｄｅ−Ｂ２から移動機１への送信が行われているものとする。
【０００５】
ＲＮＣ（Ｒａｄｉｏ  Ｎｅｔｗｏｒｋ  Ｃｏｎｔｒｏｌｌｅｒ）４は、“ＤＣＣＨ  ｏｎ  ＨＳ−ＤＳＣＨ”状態にある移動機１に対して、Ｅｖｅｎｔ  １Ｄ（最も電界・品質の良いセル（ベストセル）が変更された場合のイベント）の測定を移動機１に開始させるために、“Ｍｅａｓｕｒｅｍｅｎｔ  Ｃｏｎｔｒｏｌ（Ｅｖｅｎｔ  １Ｄ）”メッセージをＮｏｄｅ−Ｂ２を介して送信する（ステップＳ３０２）。
【０００６】
移動機１は、Ｎｏｄｅ−Ｂ２とＮｏｄｅ−Ｂ３のセルの電界（例えばＲＳＣＰ（Ｒｅｃｅｉｖｅｄ  Ｓｉｇｎａｌ  Ｃｏｄｅ  Ｐｏｗｅｒ））または品質（例えばＥｃ／Ｎｏ  （Ｔｈｅ  ｒｅｃｅｉｖｅｄ  ｅｎｅｒｇｙ  ｐｅｒ  ｃｈｉｐ  ｄｉｖｉｄｅｄ  ｂｙ  ｔｈｅ  ｐｏｗｅｒ  ｄｅｎｓｉｔｙ  ｉｎ  ｔｈｅ  ｂａｎｄ））を測定、すなわち各セルにおけるＣＰＩＣＨ（Ｃｏｍｍｏｎ  Ｐｉｌｏｔ  Ｃｈａｎｎｅｌ）の電界または品質を測定する（ステップＳ３０３）。
【０００７】
移動機１は、Ｎｏｄｅ−Ｂ３の電界・品質がＮｏｄｅ−Ｂ２の電界・品質より良くなったことを検出すると（ステップＳ３０４）、“Ｍｅａｓｕｒｅｍｅｎｔ  Ｒｅｐｏｒｔ（Ｅｖｅｎｔ  １Ｄ）”メッセージをＲＮＣ４に送信する（ステップＳ３０５）。
【０００８】
ＲＮＣ４は、Ｅｖｅｎｔ  １Ｄの発生に応答して、Ｎｏｄｅ−Ｂ３に対してＨＳ−ＤＳＣＨ確立要求を出してＮｏｄｅ−Ｂ３にＨＳ−ＤＳＣＨを確立させ（ステップＳ３０６）、また、移動機１がＨＳ−ＤＳＣＨを用いて通信を行うセルの変更を要求する“Ｒａｄｉｏ  ｂｅａｒｅｒ  ｒｅｃｏｎｆｉｇｕｒａｔｉｏｎ”メッセージをＡｃｔｉｖａｔｉｏｎ  Ｔｉｍｅ＝ＮｏｗにてＮｏｄｅ−Ｂ２を介して移動機１に送信する（ステップＳ３０７〜Ｓ３０９）。
【０００９】
移動機１は、Ｎｏｄｅ−Ｂ２のセルからＮｏｄｅ−Ｂ３のセルにＨＳ−ＤＳＣＨの切替動作を即時行い（ステップＳ３１０）、“Ｒａｄｉｏ  ｂｅａｒｅｒ  ｒｅｃｏｎｆｉｇｕｒａｔｉｏｎ  ｃｏｍｐｌｅｔｅ”メッセージをＲＮＣ４に送信する（ステップＳ３１１）。ＲＮＣ４は、Ｎｏｄｅ−Ｂ２に対してＨＳ−ＤＳＣＨ解放要求を送信し（ステップＳ３１２）、これにより、Ｎｏｄｅ−Ｂ２はＨＳ−ＤＳＣＨを解放する。
【００１０】
図３はＨＳＤＰＡ方式を用いた従来の移動通信システムのハンドオーバ時の別の動作例を示すシーケンス図である。図１では、ＨＳ−ＤＳＣＨの切替時にＡｃｔｉｖａｔｉｏｎ  Ｔｉｍｅを基準とした待ち合わせ同期処理を行わない方法を示したが、図３では、この同期処理を行う方法が示されている。なお、図３においても、図１と同様に、移動機１はＮｏｄｅ−Ｂ２のセルからＮｏｄｅ−Ｂ３のセルに向かい高速移動している状態であり、ＨＳＤＰＡ方式でリアルタイム通信をＮｏｄｅ−Ｂ２と行っているものとし、また、図３のステップＳ４０１〜Ｓ４０６の処理動作は図１のステップＳ３０１〜Ｓ３０６と同じであるので、その説明を省略する。
【００１１】
ＲＮＣ４は、Ｅｖｅｎｔ  １Ｄの発生に応答して、Ｎｏｄｅ−Ｂ３に対してＨＳ−ＤＳＣＨ確立要求を出してＮｏｄｅ−Ｂ３にＨＳ−ＤＳＣＨを確立させ（ステップＳ４０６）、また、移動機１がＨＳ−ＤＳＣＨを用いて通信を行うセルの変更を要求する“Ｒａｄｉｏ  ｂｅａｒｅｒ  ｒｅｃｏｎｆｉｇｕｒａｔｉｏｎ”メッセージをＡｃｔｉｖａｔｉｏｎ  Ｔｉｍｅを含めてＮｏｄｅ−Ｂ２を介して移動機１に送信する（ステップＳ４０７〜Ｓ４０９）。
【００１２】
移動機１は、Ａｃｔｉｖａｔｉｏｎ  Ｔｉｍｅの時点で、Ｎｏｄｅ−Ｂ２のセルからＮｏｄｅ−Ｂ３のセルにＨＳ−ＤＳＣＨの切替動作を行い（ステップＳ４１０，Ｓ４１１）、“Ｒａｄｉｏ  ｂｅａｒｅｒ  ｒｅｃｏｎｆｉｇｕｒａｔｉｏｎ  ｃｏｍｐｌｅｔｅ”メッセージをＲＮＣ４に送信する（ステップＳ４１２）。ＲＮＣ４は、Ｎｏｄｅ−Ｂ２に対してＨＳ−ＤＳＣＨ解放要求を送信し（ステップＳ４１３）、これにより、Ｎｏｄｅ−Ｂ２はＨＳ−ＤＳＣＨを解放する。
【００１３】
なお、以上説明した従来の動作については、非特許文献１及び２に記載されている。
【先行技術文献】
【非特許文献】
【００１４】
【非特許文献１】３ＧＰＰ  ＴＳ  ２５．３３１  Ｖ３．２１．０，  １４．１．２．４  Ｒｅｐｏｒｔｉｎｇ  ｅｖｅｎｔ  １Ｄ：Ｃｈａｎｇｅ  ｏｆ  ｂｅｓｔ  ｃｅｌｌ，  ２００４年１２月
【非特許文献２】３ＧＰＰ  ＴＳ  ２５．３０８  Ｖ５．７．０，  ９．３  Ｉｎｔｒａ−Ｎｏｄｅ  Ｂ  ｓｙｎｃｈｒｏｎｉｓｅｄ  ｓｅｒｖｉｎｇ  ＨＳ−ＤＳＣＨ  ｃｅｌｌ  Ｃｈａｎｇｅ，  ２００４年１２月
【発明の概要】
【発明が解決しようとする課題】
【００１５】
ＨＳＤＰＡ方式では移動機は同時に１つのセルとのみしか通信することができず、また、図１及び図３において移動機は終始、制御信号がＨＳ−ＤＳＣＨ上にマッピングされて送信される“ＤＣＣＨ  ｏｎ  ＨＳ−ＤＳＣＨ”状態にあるため、ハンドオーバにかかる時間分品質の悪いセルでサービスを続けることになる。したがって、図１のステップＳ３０７，Ｓ３０８及び図３のステップＳ４０７，Ｓ４０８において、“Ｒａｄｉｏ  ｂｅａｒｅｒ  ｒｅｃｏｎｆｉｇｕｒａｔｉｏｎ”メッセージのような制御メッセージ（ハンドオーバメッセージ）の消失が発生し、そのため、ベストセルが検出されてから実際にＨＳ−ＤＳＣＨの切替動作が開始されるまでの時間が長くなる。
【００１６】
特に図３のＡｃｔｉｖａｔｉｏｎ  Ｔｉｍｅを基準とした待ち合わせ同期処理を行う例では、Ａｃｔｉｖａｔｉｏｎ  Ｔｉｍｅ到達までの時間がさらに余分にかかることにより、移動機はさらに電界・品質の下がったセルと通信を継続することになり、データの消失が発生する（ステップＳ４１７及びＳ４１８）。
【００１７】
図１の同期処理を行わない例では、“Ｒａｄｉｏ  ｂｅａｒｅｒ  ｒｅｃｏｎｆｉｇｕｒａｔｉｏｎ”メッセージ送信からＨＳ−ＤＳＣＨ切替えまでの時間は短くなるが、切替えのタイミングが判らないため、切替が完了するまでの間にデータの消失が発生する（ステップＳ３１５及びＳ３１６）。特に、“Ｒａｄｉｏ  ｂｅａｒｅｒ  ｒｅｃｏｎｆｉｇｕｒａｔｉｏｎ”メッセージの再送を繰り返している間は、さらにこのデータの消失時間が長くなってしまう。
【００１８】
本発明の第１の目的は、ＨＳＤＰＡ方式においてユーザデータの消失なしにハンドオーバを行うことができる移動通信システム、基地局制御装置、移動機及びハンドオーバ制御方法並びにプログラムを提供することである。
【００１９】
本発明の第２の目的は、ＨＳＤＰＡ方式において制御メッセージがＨＳ−ＤＳＣＨ上にマッピングされ移動機に送信される場合に、制御メッセージの消失なしにハンドオーバを行うことができる移動通信システム、基地局制御装置、移動機及びハンドオーバ制御方法並びにプログラムを提供することである。
【課題を解決するための手段】
【００２１】
本発明による別の移動通信システムは、基地局から移動機に対してＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）を用いてデータ送信が行われ、基地局から移動機に対する制御メッセージの送信にもＨＳ−ＤＳＣＨを用いるようにした移動通信システムであって、前記移動機のハンドオーバの発生の前に予め、ハンドオーバ元基地局から前記移動機への制御メッセージの送信にＨＳ−ＤＳＣＨを用いることを停止せしめ、前記移動機への制御メッセージの送信に用いるための個別チャネルをそれぞれ前記ハンドオーバ元基地局とハンドオーバ先基地局に確立せしめる制御をなす制御手段を含むことを特徴とする。
【００２３】
本発明による別の基地局制御装置は、基地局から移動機に対してＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）を用いてデータ送信が行われ、基地局から移動機に対する制御メッセージの送信にもＨＳ−ＤＳＣＨを用いるようにした移動通信システムの基地局制御装置であって、前記移動機のハンドオーバの発生の前に予め、ハンドオーバ元基地局から前記移動機への制御メッセージの送信にＨＳ−ＤＳＣＨを用いることを停止せしめ、前記移動機への制御メッセージの送信に用いるための個別チャネルをそれぞれ前記ハンドオーバ元基地局とハンドオーバ先基地局に確立せしめる制御をなす制御手段を含むことを特徴とする。
【００２５】
本発明による別の移動機は、基地局から移動機に対してＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）を用いてデータ送信が行われ、基地局から移動機に対する制御メッセージの送信にもＨＳ−ＤＳＣＨを用いるようにし、前記移動機からの通知に応答して、前記移動機のハンドオーバの発生の前に予め、ハンドオーバ元基地局から前記移動機への制御メッセージの送信にＨＳ−ＤＳＣＨを用いることを停止せしめ、前記移動機への制御メッセージの送信に用いるための個別チャネルをそれぞれ前記ハンドオーバ元基地局とハンドオーバ先基地局に確立せしめる制御をなす制御手段を含む移動通信システムの移動機であって、前記ハンドオーバ元基地局からの信号の受信品質または電界強度に対して所定の範囲内にある受信品質または電界強度を有する信号を送出する基地局を検出して前記通知をなすことを特徴とする。
【００２７】
本発明による別のハンドオーバ制御方法は、基地局から移動機に対してＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）を用いてデータ送信が行われ、基地局から移動機に対する制御メッセージの送信にもＨＳ−ＤＳＣＨを用いるようにした移動通信システムにおけるハンドオーバ制御方法であって、前記移動機のハンドオーバの発生の前に予め、ハンドオーバ元基地局から前記移動機への制御メッセージの送信にＨＳ−ＤＳＣＨを用いることを停止せしめ、前記移動機への制御メッセージの送信に用いるための個別チャネルをそれぞれ前記ハンドオーバ元基地局とハンドオーバ先基地局に確立せしめる制御をなす制御ステップを含むことを特徴とする。
【００２８】
本発明によるプログラムは、基地局から移動機に対してＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）を用いてデータ送信が行われる移動通信システムの基地局制御装置におけるハンドオーバ制御方法をコンピュータに実行させるためのプログラムであって、前記移動機のハンドオーバの際、ハンドオーバ先基地局にＨＳ−ＤＳＣＨを確立せしめて前記移動機に対してハンドオーバ元基地局から前記ハンドオーバ先基地局へのＨＳ−ＤＳＣＨ切替を指示し、前記ハンドオーバ元基地局と前記ハンドオーバ先基地局からそれぞれＨＳ−ＤＳＣＨを用いて前記移動機に対して同一データを送信せしめる処理を含むことを特徴とする。
【００２９】
本発明による別のプログラムは、基地局から移動機に対してＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）を用いてデータ送信が行われ、基地局から移動機に対する制御メッセージの送信にもＨＳ−ＤＳＣＨを用いるようにした移動通信システムの基地局制御装置におけるハンドオーバ制御方法をコンピュータに実行させるためのプログラムであって、前記移動機のハンドオーバの発生の前に予め、ハンドオーバ元基地局から前記移動機への制御メッセージの送信にＨＳ−ＤＳＣＨを用いることを停止せしめ、前記移動機への制御メッセージの送信に用いるための個別チャネルをそれぞれ前記ハンドオーバ元基地局とハンドオーバ先基地局に確立せしめる処理を含むことを特徴とする。
【００３０】
本発明による更に別のプログラムは、基地局から移動機に対してＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）を用いてデータ送信が行われ、前記移動機のハンドオーバの際、ハンドオーバ先基地局にＨＳ−ＤＳＣＨを確立せしめてハンドオーバ元基地局と前記ハンドオーバ先基地局からそれぞれＨＳ−ＤＳＣＨを用いて前記移動機に対して同一データを送信せしめる制御手段を含む移動通信システムの移動機におけるハンドオーバ方法をコンピュータに実行させるためのプログラムであって、自機のハンドオーバの際、前記ハンドオーバ元基地局のＨＳ−ＤＳＣＨから前記ハンドオーバ先基地局のＨＳ−ＤＳＣＨに切替え、この切替の前後で前記ハンドオーバ元基地局と前記ハンドオーバ先基地局それぞれから受信されたデータを基にデータの復元を行う処理を含むことを特徴とする。
【００３１】
本発明によるまた更に別のプログラムは、基地局から移動機に対してＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）を用いてデータ送信が行われ、基地局から移動機に対する制御メッセージの送信にもＨＳ−ＤＳＣＨを用いるようにし、前記移動機からの通知に応答して、前記移動機のハンドオーバの発生の前に予め、ハンドオーバ元基地局から前記移動機への制御メッセージの送信にＨＳ−ＤＳＣＨを用いることを停止せしめ、前記移動機への制御メッセージの送信に用いるための個別チャネルをそれぞれ前記ハンドオーバ元基地局とハンドオーバ先基地局に確立せしめる制御をなす制御手段を含む移動通信システムの移動機におけるハンドオーバ方法をコンピュータに実行させるためのプログラムであって、前記ハンドオーバ元基地局からの信号の受信品質または電界強度に対して所定の範囲内にある受信品質または電界強度を有する信号を送出する基地局を検出して前記通知をなす処理を含むことを特徴とする。
【００３３】
本発明では、ハンドオーバ元基地局からＨＳ−ＤＳＣＨを用いてデータを受信すると共に制御メッセージについてもＨＳ−ＤＳＣＨを用いて受信する“ＤＣＣＨ  ｏｎ  ＨＳ−ＤＳＣＨ”状態にある移動機のハンドオーバの発生の前に予め、基地局制御装置は、“ＤＣＣＨ  ｏｎ  ＨＳ−ＤＳＣＨ”状態を解除し、ハンドオーバ元基地局とハンドオーバ先基地局からそれぞれ個別チャネルを用いて移動機に対して制御メッセージを送信する“ＤＣＣＨ  ｏｎ  ＤＣＨ”状態を確立するようにしている。
【発明の効果】
【００３４】
本発明によれば、移動機のハンドオーバの際、ハンドオーバ元基地局とハンドオーバ先基地局からそれぞれＨＳ−ＤＳＣＨを用いて移動機に対して同一データを送信するようにしているので、ＨＳＤＰＡ方式においてユーザデータの消失なしにハンドオーバを行うことができる。
【００３５】
また、本発明によれば、移動機のハンドオーバの発生の前に予め、“ＤＣＣＨ  ｏｎ  ＨＳ−ＤＳＣＨ”状態から“ＤＣＣＨ  ｏｎ  ＤＣＨ”状態に切替えられるので、ＨＳＤＰＡ方式において制御メッセージの消失なしにハンドオーバを行うことができる。
【図面の簡単な説明】
【００３６】
【図１】ＨＳＤＰＡ方式を用いた従来の移動通信システムのハンドオーバ時の動作を示すシーケンス図である。
【図２】本発明の実施例によるＨＳＤＰＡ方式を用いた移動通信システムの構成を示す図である。
【図３】ＨＳＤＰＡ方式を用いた従来の移動通信システムのハンドオーバ時の別の動作例を示すシーケンス図である。
【図４】図２の移動機の構成を示す図である。
【図５】図２の移動通信システムのハンドオーバ時の動作を示すシーケンス図である。
【図６】図２の移動通信システムのハンドオーバ時の動作を示すシーケンス図である。
【発明を実施するための形態】
【００３７】
以下、本発明の実施例について図面を参照して説明する。
【００３８】
図２は本発明の実施例によるＨＳＤＰＡ方式を用いた移動通信システムの構成を示す図である。本発明の実施例によるシステム構成は、３ＧＰＰ（３ｒｄ  Ｇｅｎｅｒａｔｉｏｎ  Ｐａｒｔｎｅｒｓｈｉｐ  Ｐｒｏｊｅｃｔ）で規定されているＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式のネットワークの一般的な構成であり、移動機１と、Ｎｏｄｅ−Ｂ２と、Ｎｏｄｅ−Ｂ３と、ＲＮＣ４と、ＣＮ（Ｃｏｒｅ  Ｎｅｔｗｏｒｋ）５とで構成される。
【００３９】
図２において、移動機１はＷ−ＣＤＭＡ携帯電話機であり、ＨＳＤＰＡ方式に対応しており、Ｎｏｄｅ−Ｂ２及びＮｏｄｅ−Ｂ３とアクセスすることができる。本実施例では、移動機１は、Ｎｏｄｅ−Ｂ２配下のセルからＮｏｄｅ−Ｂ３配下のセルに向けて高速移動しているものとする。Ｎｏｄｅ−Ｂ２及びＮｏｄｅ−Ｂ３は、Ｗ−ＣＤＭＡ方式のＬａｙｅｒ１／ＭＡＣ（Ｍｅｄｉｕｍ  Ａｃｃｅｓｓ  Ｃｏｎｔｒｏｌ）  Ｌａｙｅｒの制御を行う基地局装置であり、ＨＳＤＰＡ方式に対応しており、それぞれＲＮＣ４に有線接続されている。
【００４０】
ＲＮＣ４は、Ｗ−ＣＤＭＡ方式のＲＲＣ（Ｒａｄｉｏ  Ｒｅｓｏｕｒｃｅ  Ｃｏｎｔｒｏｌ）／ＲＬＣ（Ｒａｄｉｏ  Ｌｉｎｋ  Ｃｏｎｔｒｏｌ）の制御を行う基地局制御装置であり、ＣＮ５と有線接続されている。ＣＮ５は、移動管理や呼制御を行う交換機であり、他の交換機や外部のネットワーク（電話回線やインターネット等）と接続されている。
【００４１】
図４は図２の移動機１の構成を示す図である。移動機１の構成は、Ｗ−ＣＤＭＡ方式に対応している携帯電話機の一般的な構成であり、制御部１０１と、マイク１０２と、カメラ１０３と、キーボード１０４と、記憶装置１０５と、表示部１０６と、スピーカ１０７と、無線機１０８とで構成される。
【００４２】
図４において、制御部１０１は、マイク１０２、カメラ１０３、キーボード１０４、記憶装置１０５、表示部１０６、スピーカ１０７及び無線機１０８のそれぞれを制御するＣＰＵ（Ｃｅｎｔｒａｌ  Ｐｒｏｃｅｓｓｉｎｇ  Ｕｎｉｔ）等の装置であり、ＲＲＣやＲＬＣ、移動管理や呼制御等、ＭＡＣ  Ｌａｙｅｒより上位の制御もここで行う。マイク１０２は音声入力を行う装置である。カメラ１０３は画像の入力を行う装置である。キーボード１０４はユーザからの入力を行う装置である。
【００４３】
記憶装置１０５は、制御部１０１で使用するＲＯＭやＲＡＭ等のメモリである。表示部１０６は画像の表示を行うＬＣＤ等の装置である。スピーカ１０７は音声出力を行う装置である。無線機１０８は、Ｗ−ＣＤＭＡ方式の無線信号の入出力を行う装置であり、Ｌａｙｅｒ１やＭＡＣ  Ｌａｙｅｒも担当し、Ｎｏｄｅ−Ｂ２及びＮｏｄｅ−Ｂ３各々と通信可能である。無線機１０８は、ＤＣＨに関しては複数セルと同時通信可能であり、ＨＳＤＰＡ方式のＤＳＣＨに関しては１セルのみと通信可能である。
【００４４】
以上、本実施例の構成を述べたが、図２のＮｏｄｅ−Ｂ２、Ｎｏｄｅ−Ｂ３、ＲＮＣ４及びＣＮ５の構成は当業者にとってよく知られており、またＲＮＣ４は一般的なサーバであるので、それらの詳細な構成についての説明は省略する。
【００４５】
図５及び図６は図２の移動通信システムのハンドオーバ時の動作を示すシーケンス図である。本発明の実施例による移動通信システムの動作について図５及び図６を参照して以下に説明する。図５及び図６において、移動機１はＮｏｄｅ−Ｂ２のセルからＮｏｄｅ−Ｂ３のセルに向かい高速移動している状態であり、ＨＳＤＰＡ方式でリアルタイム通信をＮｏｄｅ−Ｂ２と行っているものとする。
【００４６】
まずは、ステップＳ２０１において、Ｎｏｄｅ−Ｂ２から移動機１に対してＨＳ−ＤＳＣＨを用いてデータ送信が行われており、また、ＤＣＨのリソースを節約するため、ユーザデータだけではなく制御信号もＨＳ−ＤＳＣＨを用いてＮｏｄｅ−Ｂ２から移動機１に対して送信されているものとする。すなわち、通常、ＤＣＨのＤＣＣＨを用いて移動機１に送信される制御信号を、ＨＳ−ＤＳＣＨ上にマッピングして送信する“ＤＣＣＨ  ｏｎ  ＨＳ−ＤＳＣＨ”状態でＮｏｄｅ−Ｂ２から移動機１への送信が行われているものとする。
【００４７】
ＲＮＣ４は、“ＤＣＣＨ  ｏｎ  ＨＳ−ＤＳＣＨ”状態にある移動機１に対して、通常のＥｖｅｎｔ  １Ｄ（最も電界・品質の良いセル（ベストセル）が変更された場合のイベント）だけではなく、新規イベントの測定を移動機１に開始させるために、“Ｍｅａｓｕｒｅｍｅｎｔ  Ｃｏｎｔｒｏｌ（Ｅｖｅｎｔ  １Ｄ、新規Ｅｖｅｎｔ）”メッセージをＮｏｄｅ−Ｂ２を介して送信する（ステップＳ２０２）。この新規イベントは、最も電界・品質の良いセルに対して、ある一定値（αと定義する）以内の範囲の電界・品質のセルを検出した場合に発生するイベントと定義する。
【００４８】
移動機１は、Ｎｏｄｅ−Ｂ２とＮｏｄｅ−Ｂ３のセルの電界（例えばＲＳＣＰ）または品質（例えばＥｃ／Ｎｏ）の測定を開始する（ステップＳ２０３）。移動機１は、Ｎｏｄｅ−Ｂ３の電界・品質＋αがＮｏｄｅ−Ｂ２の電界・品質より良くなったことを検出すると（ステップＳ２０４）、すなわち、Ｎｏｄｅ−Ｂ２からのＣＰＩＣＨのパイロット信号の電界または品質に対して所定の範囲内になるほどに、Ｎｏｄｅ−Ｂ３からのＣＰＩＣＨのパイロット信号の電界または品質が良くなると、“Ｍｅａｓｕｒｅｍｅｎｔ  Ｒｅｐｏｒｔ（新規Ｅｖｅｎｔ）”メッセージをＲＮＣ４に送信する（ステップＳ２０５）。
【００４９】
ＲＮＣ４は、新規Ｅｖｅｎｔの発生に応答して、“ＤＣＣＨ  ｏｎ  ＨＳ−ＤＳＣＨ”状態を解除する“Ｒａｄｉｏ  ｂｅａｒｅｒ  ｒｅｃｏｎｆｉｇｕｒａｔｉｏｎ”メッセージをＡｃｔｉｖａｔｉｏｎ  Ｔｉｍｅを含めてＮｏｄｅ−Ｂ２を介して移動機１に送信する（ステップＳ２０６）。同時に、ＲＮＣ４は、Ｎｏｄｅ−Ｂ３及びＮｏｄｅ−Ｂ２に対してＤＣＨ確立要求を送信し（ステップＳ２０７及びＳ２０８）、これにより、Ｎｏｄｅ−Ｂ２及びＮｏｄｅ−Ｂ３はＡｃｔｉｖａｔｉｏｎ  Ｔｉｍｅの時点で“ＤＣＣＨ  ｏｎ  ＨＳ−ＤＳＣＨ”状態を解除し、移動機１への制御メッセージの送信に使うＤＣＣＨ用にＤＣＨをそれぞれ確立する。
【００５０】
また、移動機１もＡｃｔｉｖａｔｉｏｎ  Ｔｉｍｅの時点で“ＤＣＣＨ  ｏｎ  ＨＳＤＳＣＨ”状態を解除し、Ｎｏｄｅ−Ｂ２及びＮｏｄｅ−Ｂ３からの制御メッセージをＤＣＨを用いて受信するよう設定する（ステップＳ２０９）。したがって、この後、Ｎｏｄｅ−Ｂ２及びＮｏｄｅ−Ｂ３各々から移動機１に送信される制御メッセージはＨＳ−ＤＳＣＨではなくＤＣＨ上で送信されることになり（“ＤＣＣＨ  ｏｎ  ＤＣＨ”状態）、移動機１はマクロダイバーシティを利用してＮｏｄｅ−Ｂ２及びＮｏｄｅ−Ｂ３双方と同時通信が可能となる。
【００５１】
移動機１は、“ＤＣＣＨ  ｏｎ  ＨＳ−ＤＳＣＨ”状態から“ＤＣＣＨ  ｏｎ  ＤＣＨ”状態への切替が完了すると、“Ｒａｄｉｏ  ｂｅａｒｅｒ  ｒｅｃｏｎｆｉｇｕｒａｔｉｏｎ  ｃｏｍｐｌｅｔｅ”メッセージをＲＮＣ４に送信する（ステップＳ２１０）。
【００５２】
次に、移動機１は、Ｎｏｄｅ−Ｂ３の電界・品質がＮｏｄｅ−Ｂ２の電界・品質より良くなったことを検出すると（ステップＳ２１１）、すなわち、Ｎｏｄｅ−Ｂ２からのＣＰＩＣＨのパイロット信号の電界または品質より、Ｎｏｄｅ−Ｂ３からのＣＰＩＣＨのパイロット信号の電界または品質が良くなると、“Ｍｅａｓｕｒｅｍｅｎｔ  Ｒｅｐｏｒｔ（Ｅｖｅｎｔ  １Ｄ）”メッセージをＲＮＣ４に送信する（ステップＳ２１２）。
【００５３】
ＲＮＣ４は、Ｅｖｅｎｔ  １Ｄの発生に応答して、Ｎｏｄｅ−Ｂ３に対してＨＳ−ＤＳＣＨ確立要求を出してＮｏｄｅ−Ｂ３にＨＳ−ＤＳＣＨを確立させ（ステップＳ２１３）、また、移動機１がＨＳ−ＤＳＣＨを用いて通信を行うセルの変更を要求する“Ｒａｄｉｏ  ｂｅａｒｅｒ  ｒｅｃｏｎｆｉｇｕｒａｔｉｏｎ”メッセージをＡｃｔｉｖａｔｉｏｎ  Ｔｉｍｅ＝ＮｏｗにてＮｏｄｅ−Ｂ２及びＮｏｄｅ−Ｂ３を介して（ＤＣＨを用いて）移動機１に送信する（ステップＳ２１４）。
【００５４】
移動機１は、Ｎｏｄｅ−Ｂ２のセルからＮｏｄｅ−Ｂ３のセルにＨＳ−ＤＳＣＨの切替動作を即時行い（ステップＳ２１５）、“Ｒａｄｉｏ  ｂｅａｒｅｒ  ｒｅｃｏｎｆｉｇｕｒａｔｉｏｎ  ｃｏｍｐｌｅｔｅ”メッセージをＲＮＣ４に送信する（ステップＳ２１６）。ＲＮＣ４は、Ｎｏｄｅ−Ｂ２に対してＨＳ−ＤＳＣＨ解放要求を送信し（ステップＳ２１７）、これにより、Ｎｏｄｅ−Ｂ２はＨＳ−ＤＳＣＨを解放する。
【００５５】
このＨＳ−ＤＳＣＨ切替動作において、同時にリアルタイムデータが発生したものとする。この場合、ＣＮ５は発生したデータをＲＮＣ４に送信する（ステップＳ２１８）。ＲＮＣ４は、ＣＮ５からのデータをＲＬＣ  ＵＭＤ  ＰＤＵ（Ｒａｄｉｏ  Ｌｉｎｋ  Ｃｏｎｔｒｏｌ  Ｕｎａｃｋｎｏｗｌｅｄｇｅｄ  Ｍｏｄｅ  Ｄａｔａ  Ｐｒｏｔｏｃｏｌ  Ｄａｔａ  Ｕｎｉｔ）に分割（ここでは例えば３分割とする）し、Ｎｏｄｅ−Ｂ２とＮｏｄｅ−Ｂ３にそれぞれ同じデータを送信する（ステップＳ２１９及びＳ２２０）。
【００５６】
この時、ステップＳ２２０では、ＲＮＣ４は、ステップＳ２１９における送信から、ステップＳ２１５で移動機１が行うＨＳ−ＤＳＣＨ切替動作に要する時間に相当する時間差をあけて、Ｎｏｄｅ−Ｂ３への送信を行う。Ｎｏｄｅ−Ｂ２は、ＲＮＣ４からのＰＤＵ１〜３をＨＳ−ＤＳＣＨを用いて移動機１に順次送信する（ステップＳ２２１〜Ｓ２２３）。同様に、Ｎｏｄｅ−Ｂ３は、ＲＮＣ４からのＰＤＵ１〜３をＨＳ−ＤＳＣＨを用いて移動機１に順次送信する（ステップＳ２２４〜Ｓ２２６）。
【００５７】
この時、移動機１は、ステップＳ２２１及びＳ２２４〜Ｓ２２６においてＰＤＵを受信することができ、ステップＳ２２２及びＳ２２３のＰＤＵはＨＳ−ＤＳＣＨ切替動作中のために受信できなかったものとする。この場合、移動機１は、ステップＳ２２１のＰＤＵ１とステップＳ２２４のＰＤＵ１は同一ＲＬＣ  ＰＤＵであることが判別できるため、ステップＳ２２４のＲＬＣ  ＰＤＵ１を重複として破棄し、ステップＳ２２１，Ｓ２２５及びＳ２２６のＲＬＣ  ＰＤＵ１〜３を結合して元のユーザデータを復元する。この移動機１の動作は、「３ＧＰＰ  ＴＳ  ２５．３０１  Ｖ５．６．０，  ５．３．２．１  Ｓｅｒｖｉｃｅｓ  ｐｒｏｖｉｄｅｄ  ｔｏ  ｔｈｅ  ｕｐｐｅｒ  ｌａｙｅｒ，  ２００５年９月」、「３ＧＰＰ  ＴＳ  ２５．３２２  Ｖ６．４．０，  ４．２．１．２．２  Ｒｅｃｅｉｖｉｎｇ  ＵＭ  ＲＬＣ  ｅｎｔｉｔｙ，  ２００５年６月」、「３ＧＰＰ  ＴＳ  ２５．３２２  Ｖ６．４．０，  ９．７．１０  Ｄｕｐｌｉｃａｔｅ  ａｖｏｉｄａｎｃｅ  ａｎｄ  ｒｅｏｒｄｅｒｉｎｇ  ｆｏｒ  ｕｎａｃｋｎｏｗｌｅｄｇｅｄ  ｍｏｄｅ，  ２００５年６月」に記載された“Ｄｕｐｌｉｃａｔｅ  ａｖｏｉｄａｎｃｅ  ａｎｄ  ｒｅｏｒｄｅｒｉｎｇ”機能を適用して実現することができる。
【００５８】
ステップＳ２１７の後、ＲＮＣ４は、“ＤＣＣＨ  ｏｎ  ＤＣＨ”状態にある移動機１に対して、通常のＥｖｅｎｔ  １Ｄだけではなく、新規イベントの測定を移動機１に開始させるために、“Ｍｅａｓｕｒｅｍｅｎｔ  Ｃｏｎｔｒｏｌ（Ｅｖｅｎｔ  １Ｄ、新規Ｅｖｅｎｔ）”メッセージをＮｏｄｅ−Ｂ２及びＮｏｄｅ−Ｂ３を介して（ＤＣＨを用いて）送信する（ステップＳ２１８）。この新規イベントは、最も電界・品質の良いセルに対して、一定値α以内の範囲の電界・品質のセルがなくなった場合に発生するイベントと定義する。
【００５９】
移動機１は、Ｎｏｄｅ−Ｂ２とＮｏｄｅ−Ｂ３のセルの電界または品質の測定を開始する（ステップＳ２１９）。移動機１は、Ｎｏｄｅ−Ｂ３の電界・品質がＮｏｄｅ−Ｂ２の電界・品質＋αより良くなったことを検出すると（ステップＳ２２０）、すなわち、Ｎｏｄｅ−Ｂ３からのＣＰＩＣＨのパイロット信号の電界または品質に対して所定の範囲外になるほどに、Ｎｏｄｅ−Ｂ２からのＣＰＩＣＨのパイロット信号の電界または品質が悪くなると、“Ｍｅａｓｕｒｅｍｅｎｔ  Ｒｅｐｏｒｔ（新規Ｅｖｅｎｔ）”メッセージをＲＮＣ４に送信する（ステップＳ２２１）。
【００６０】
ＲＮＣ４は、新規Ｅｖｅｎｔの発生に応答して、“ＤＣＣＨ  ｏｎ  ＤＣＨ”状態を解除する“Ｒａｄｉｏ  ｂｅａｒｅｒ  ｒｅｃｏｎｆｉｇｕｒａｔｉｏｎ”メッセージをＡｃｔｉｖａｔｉｏｎ  Ｔｉｍｅを含めてＮｏｄｅ−Ｂ２及びＮｏｄｅ−Ｂ３を介して（ＤＣＨを用いて）移動機１に送信する（ステップＳ２２２）。同時に、ＲＮＣ４は、Ｎｏｄｅ−Ｂ３に対して“ＤＣＣＨ  ｏｎ  ＨＳ−ＤＳＣＨ”確立要求を送信し（ステップＳ２２３）、また、Ｎｏｄｅ−Ｂ２に対してＤＣＨ解放要求を送信する（ステップＳ２２４）。
【００６１】
これにより、Ｎｏｄｅ−Ｂ２及びＮｏｄｅ−Ｂ３は、Ａｃｔｉｖａｔｉｏｎ  Ｔｉｍｅの時点でＤＣＨを解放し、Ｎｏｄｅ−Ｂ３は、移動機１への制御メッセージの送信をＨＳ−ＤＳＣＨを用いて行うようになる。また、移動機１もＡｃｔｉｖａｔｉｏｎ  Ｔｉｍｅの時点で“ＤＣＣＨ  ｏｎ  ＤＣＨ”状態を解除し、Ｎｏｄｅ−Ｂ３からの制御メッセージをＨＳ−ＤＳＣＨを用いて受信するよう設定する（ステップＳ２２５）。移動機１は、“ＤＣＣＨ  ｏｎ  ＤＣＨ”状態から“ＤＣＣＨ  ｏｎ  ＨＳ−ＤＳＣＨ”状態への切替が完了すると、“Ｒａｄｉｏ  ｂｅａｒｅｒ  ｒｅｃｏｎｆｉｇｕｒａｔｉｏｎ  ｃｏｍｐｌｅｔｅ”メッセージをＲＮＣ４に送信する（ステップＳ２２６）。
【００６２】
図５及び図６に示したシーケンス図に従った移動機１及びＲＮＣ４各々の処理動作は、移動機１及びＲＮＣ４各々において、予めＲＯＭ等の記憶媒体に格納されたプログラムを、ＣＰＵ（制御部）となるコンピュータに読み取らせて実行せしめることにより、実現できることは勿論である。
【００６３】
以上説明したように、本発明の実施例では、移動機のハンドオーバの際、ＲＮＣは、ハンドオーバ先のＮｏｄｅ−ＢにもＨＳ−ＤＳＣＨを確立せしめ、ハンドオーバ元のＮｏｄｅ−Ｂとハンドオーバ先のＮｏｄｅ−ＢからそれぞれＨＳ−ＤＳＣＨを用いて移動機に対して同一ユーザデータを送信させ、移動機はハンドオーバの前後で受信することができたデータを基にユーザデータの復元を行うようにしているので、ユーザデータの消失なくハンドオーバを行うことができる。
【００６４】
また、本発明の実施例では、移動機は、ＨＳＤＰＡ通信を行っているベストセルと他の周辺セルの電界・品質を比較し、その差が閾値α以下になった場合にその旨を新規イベントによりＲＮＣに報告する。この報告を受けたＲＮＣは、“ＤＣＣＨ  ｏｎ  ＨＳ−ＤＳＣＨ”状態を解除し、ベストセルと他の周辺セルにＤＣＨを確立させ制御メッセージの送信にＤＣＨを用いるようにしている。したがって、その後にベストセルが変化してハンドオーバが発生しても、ハンドオーバメッセージの消失なくハンドオーバを行うことができる。
【００６５】
また、本発明の実施例は、移動機のＬａｙｅｒ１／ＭＡＣ、Ｎｏｄｅ−Ｂの変更が不要であり、移動機とＲＮＣのＲＲＣ／ＲＬＣのソフトウェアの変更のみで実現可能である。
【００６６】
なお、本発明の実施例では、図５のステップＳ２０２において新規イベントを導入し、移動機１はこの新規イベントの発生を検出してステップＳ２０５においてＲＮＣ４に報告するようにしていたが、新規イベントを導入する代わりに、メッセージ数は増えるが、移動機１が“Ｐｅｒｉｏｄｉｃａｌ  ｒｅｐｏｒｔｉｎｇ”メッセージを用いて測定可能な全セルの電界・品質を定期的にＲＮＣ４に報告するようにしてもよい。この場合、ＲＮＣ４は、移動機１から報告される全セルの電界・品質の比較を行って、ベストセル（Ｎｏｄｅ−Ｂ２）に対して、一定値α以内の範囲の電界・品質のセル（Ｎｏｄｅ−Ｂ３）を検出した場合に、ステップＳ２０６の処理を行うことになる。
【００６７】
また、本発明の実施例では、図５のステップＳ２０２において新規イベントを導入していたが、新規イベントを導入する代わりに、ベストセルの電界・品質が絶対値を下回った場合に発生する既存のイベントであるＥｖｅｎｔ  １Ｆを使用するようにしてもよい。この場合、移動機１は、ベストセル（Ｎｏｄｅ−Ｂ２）の電界・品質が絶対値を下回ったことを検出すると、Ｅｖｅｎｔ  １Ｆの発生を“Ｍｅａｓｕｒｅｍｅｎｔ  Ｒｅｐｏｒｔ”メッセージを用いてＲＮＣ４に報告し、ＲＮＣ４はステップＳ２０６の処理を行うことになる。“Ｍｅａｓｕｒｅｍｅｎｔ  Ｒｅｐｏｒｔ”メッセージでの報告時、移動機１はモニタしている全セルの電界・品質を報告するので、ＲＮＣ４は、移動機１から報告されるこれら各セルの電界・品質を基に、ステップＳ２０７においてＤＣＨを確立させるべきセル（Ｎｏｄｅ−Ｂ３）を認識することができる。なお、Ｅｖｅｎｔ  １Ｆについては、  「３ＧＰＰ  ＴＳ  ２５．３３１  Ｖ３．２１．０，  １４．１．２．６  Ｒｅｐｏｒｔｉｎｇ  ｅｖｅｎｔ  １Ｆ：Ａ  Ｐｒｉｍａｒｙ  ＣＰＩＣＨ  ｂｅｃｏｍｅｓ  ｗｏｒｓｅ  ｔｈａｎ  ａｎ  ａｂｓｏｌｕｔｅ  ｔｈｒｅｓｈｏｌｄ，  ２００４年１２月」に記載されている。
【００６８】
また、本発明の実施例では、図６のステップＳ２１８において新規イベントを導入していたが、新規イベントを導入する代わりに、ベストセルの電界・品質が絶対値を上回った場合に発生する既存のイベントであるＥｖｅｎｔ  １Ｅを使用するようにしてもよい。この場合、移動機１は、ベストセル（Ｎｏｄｅ−Ｂ３）の電界・品質が絶対値を上回ったことを検出すると、Ｅｖｅｎｔ  １Ｅの発生を“Ｍｅａｓｕｒｅｍｅｎｔ  Ｒｅｐｏｒｔ”メッセージを用いてＲＮＣ４に報告し、ＲＮＣ４はステップＳ２２２の処理を行うことになる。なお、Ｅｖｅｎｔ  １Ｅについては、「３ＧＰＰ  ＴＳ  ２５．３３１  Ｖ３．２１．０，  １４．１．２．５  Ｒｅｐｏｒｔｉｎｇ  ｅｖｅｎｔ  １Ｅ：Ａ  Ｐｒｉｍａｒｙ  ＣＰＩＣＨ  ｂｅｃｏｍｅｓ  ｂｅｔｔｅｒ  ｔｈａｎ  ａｎ  ａｂｓｏｌｕｔｅ  ｔｈｒｅｓｈｏｌｄ，  ２００４年１２月」に記載されている。
【００６９】
また、本発明の実施例は、ＨＳＤＰＡ方式に適用されているが、ＨＳＤＰＡ方式だけではなく、現在検討されているＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を用いた次期通信方式においても、マクロダイバーシティが使用できないため、ハンドオーバ時にデータの２重送信を行い、また、ハンドオーバ前に制御メッセージの送信に個別チャネルを用いる状態に切替える本発明の実施例を適用することが可能である。
【符号の説明】
【００７０】
１    移動機
２，３    Ｎｏｄｅ−Ｂ
４    ＲＮＣ
５    Ｃｏｒｅ  Ｎｅｔｗｏｒｋ
１０１    制御部
１０２    マイク
１０３    カメラ
１０４    キーボード
１０５    記憶装置
１０６    表示部
１０７    スピーカ
１０８    無線機
【図１】
0005387712.tif 000002
【図２】
0005387712.tif 000003
【図３】
0005387712.tif 000004
【図４】
0005387712.tif 000005
【図５】
0005387712.tif 000006
【図６】
0005387712.tif 000007